(57)【要約】【課題】  流通過程において底部が開くことがなく、使用後に容易に底部を手指で剥離（解体）することができて減容化でき、廃棄しやすくすることができる液体用紙容器を提供することである。【解決手段】  前記底部は底壁部と、両側壁部に連設されて前記両側壁部の側方に張り出した平面視略三角形状の張出部と、該張出部の両先端部間に亘って一方の合掌壁部と他方の合掌壁部とを合掌貼りした合掌貼り壁部とで構成されると共に前記合掌貼り壁部を前記底壁部側に前記他方の合掌壁部が当接するように折り重ねると共に前記両張出部を前記底壁部側に折り重ね、前記両張出部を前記合掌貼り壁部で固着してなる構成からなる液体用紙容器であって、前記他方の合掌壁部の前記両張出部の両端部に前記他方の合掌壁部の長手方向に直交する方向に第１突片が突出形成されていることを特徴とする液体用紙容器。【選択図】        図３
2009073534.tif 000002
【特許請求の範囲】
【請求項１】
四角形状からなる底部を備え、前記底部は底壁部と、対向する位置にある両側壁部のそれぞれに連設されて前記両側壁部のそれぞれの側方に張り出した平面視略三角形状の張出部と、該張出部の両先端部間に亘って前記両張出部と前記底壁部とからなる一方の合掌壁部と他方の合掌壁部とを合掌貼りして底部を密封する合掌貼り壁部とで構成されると共に前記合掌貼り壁部をその内端縁で前記両張出部と前記底壁部に前記他方の合掌壁部が当接するように折り重ねると共に前記両張出部を前記底壁部側に折り重ね、前記両張出部を前記合掌貼り壁部で固着してなる構成からなる液体用紙容器であって、前記他方の合掌壁部の前記両張出部の両端部に前記他方の合掌壁部の長手方向に直交する方向に第１突片が突出形成されていることを特徴とする液体用紙容器。
【請求項２】
四角形状からなる底部を備え、前記底部は底壁部と、対向する位置にある両側壁部のそれぞれに連設されて前記両側壁部のそれぞれの側方に張り出した平面視略三角形状の張出部と、該張出部の両先端部間に亘って前記両張出部と前記底壁部とからなる一方の合掌壁部と他方の合掌壁部とを合掌貼りして底部を密封する合掌貼り壁部とで構成されると共に前記合掌貼り壁部をその内端縁で前記両張出部と前記底壁部に前記他方の合掌壁部が当接するように折り重ねると共に前記両張出部を前記底壁部側に折り重ね、前記両張出部を前記合掌貼り壁部で固着してなる構成からなる液体用紙容器であって、前記他方の合掌壁部の前記両張出部の両端部に前記他方の合掌壁部の長手方向に直交する方向に第１突出部と、前記一方の合掌壁部の前記張出部の両端部であって、前記第１突出部と対向する位置に前記第１突出部よりも突出長さが短い第２突出部とからなる第２突片が突出形成されていることを特徴とする液体用紙容器。
【発明の詳細な説明】
【技術分野】
【０００１】
本発明は、コーヒー、ジュース、牛乳、清酒、焼酎、ウイスキー、ワイン、シャンプー、リンス、ドレッシング、ケチャップ、マヨネーズ、あるいは、各種洗浄液等の液状物や粘稠物等の内容物を収容する液体用紙容器に関し、さらに詳しくは、使用した後に液体用紙容器を廃棄する場合に、容易に折り畳んで減容化することができる液体用紙容器に関するものである。
【背景技術】
【０００２】
液体用紙容器としては、１）上部に傾斜屋根部を設けたゲーベルトップ型紙容器や、２）六面体形状からなるブリック（Ｂｒｉｃｋ）型紙容器、あるいは、ブリック型紙容器を変形した六角柱状や天面および底面が四角形状で胴部が八角形状の柱状紙容器、また、底面は四角形状で天部が横一線シールを行ったままの楔状紙容器などが知られている。
【０００３】
上記した液体用紙容器は、いずれも底部を構成する構成部材が折り畳まれると共に熱圧着により固着されている。特に、底部において表出する構成部材の先端部が紙容器底部に密着した状態で強固に固着されている。したがって、このような形状の容器をリサイクル時に折り畳んで減容化する時には底部に密着状態で強固に固着された構成部材の先端部を手指で引き上げて剥離して解体する必要があるが、この剥離（解体）時に爪等を傷める虞があるという問題や、また、前記問題を生じないためには、挟みやカッターナイフ等の刃物を用いる必要があるが、刃物を用いて解体する作業は結構鬱陶しいという問題があり、手指で簡単に底部を剥離（解体）することができる液体用紙容器が望まれていた。
【０００４】
この要望に応える一つの技術として、液体用紙容器の底面が該液体用紙容器の対向する一組の側面と接するそれぞれの辺を前記液体用紙容器内面側に持ち上げることにより底面を凹面とし、これにより底面シールフラップを底部に固着することなく底部に沿った状態で保持する技術がある（たとえば、特許文献１参照）。
【０００５】
また、他の技術としては、液体用紙容器の底面横線シールに２箇所の切り込みを設け、この２箇所の切り込みに底面シールフラップを底面に接触するように折り曲げると共に前記切り込みに前記底面シールフラップを挟み込むことにより底面シールフラップを底部に固着することなく底部に沿った状態で保持する技術がある（たとえば、特許文献２参照）。
【０００６】
しかしながら、上記二つの技術は、凹面を形成することにより紙の反発力を利用して底面シールフラップを底部に沿った状態で保持する、あるいは、切り込みに底面シールフラップを挟み込むことにより底面シールフラップを底部に固着することなく底部に沿った状態で保持する、という技術であり、底面シールフラップを底部に固着する従来の紙容器からすると、流通過程等において外力が液体用紙容器に加わった場合等において、保持状態が解除されて販売時に底部の底面シールフラップが開き、製品の外観の悪さのみならず、製品が改竄されたイメージを購入者に与える虞がある。本発明者は、ブリック型紙容器のフラットボトムに着目し、底部において密着状態で強固に固着された構成部材の先端部近傍に構成部材を手指で引き上げて剥離するための掴み代を設けることにより、この問題を解決することができることを見出して本発明に至ったものである。
【特許文献１】特開２００２−１５４５２７号公報
【特許文献２】特開２００２−２２５８４５号公報
【発明の開示】
【発明が解決しようとする課題】
【０００７】
そこで本発明は、流通過程において底部が開くことがなく、使用後に容易に底部を手指で剥離（解体）することができて減容化でき、廃棄しやすくすることができる液体用紙容器を提供することである。
【課題を解決するための手段】
【０００８】
本発明者は、上記課題を達成するために、請求項１記載の本発明は、四角形状からなる底部を備え、前記底部は底壁部と、対向する位置にある両側壁部のそれぞれに連設されて前記両側壁部のそれぞれの側方に張り出した平面視略三角形状の張出部と、該張出部の両先端部間に亘って前記両張出部と前記底壁部とからなる一方の合掌壁部と他方の合掌壁部とを合掌貼りして底部を密封する合掌貼り壁部とで構成されると共に前記合掌貼り壁部をその内端縁で前記両張出部と前記底壁部に前記他方の合掌壁部が当接するように折り重ねると共に前記両張出部を前記底壁部側に折り重ね、前記両張出部を前記合掌貼り壁部で固着してなる構成からなる液体用紙容器であって、前記他方の合掌壁部の前記両張出部の両端部に前記他方の合掌壁部の長手方向に直交する方向に第１突片が突出形成されていることを特徴とするものである。
【０００９】
また、請求項２記載の本発明は、四角形状からなる底部を備え、前記底部は底壁部と、対向する位置にある両側壁部のそれぞれに連設されて前記両側壁部のそれぞれの側方に張り出した平面視略三角形状の張出部と、該張出部の両先端部間に亘って前記両張出部と前記底壁部とからなる一方の合掌壁部と他方の合掌壁部とを合掌貼りして底部を密封する合掌貼り壁部とで構成されると共に前記合掌貼り壁部をその内端縁で前記両張出部と前記底壁部に前記他方の合掌壁部が当接するように折り重ねると共に前記両張出部を前記底壁部側に折り重ね、前記両張出部を前記合掌貼り壁部で固着してなる構成からなる液体用紙容器であって、前記他方の合掌壁部の前記両張出部の両端部に前記他方の合掌壁部の長手方向に直交する方向に第１突出部と、前記一方の合掌壁部の前記張出部の両端部であって、前記第１突出部と対向する位置に前記第１突出部よりも突出長さが短い第２突出部とからなる第２突片が突出形成されていることを特徴とするものである。
【発明の効果】
【００１０】
本発明は、第１突片を突出形成したことにより、手指で前記第１突片を容易に掴むことができ、この第１突片を引き上げることにより張出部を剥離することができるために、液体用紙容器を折り畳んで容易に減容化することができ、廃棄しやすくすることができるという優れた効果を奏するものである。また、突出長さの異なる第１突出部と第２突出部とからなる第２突片を突出形成したことにより、第１突出部と底壁部との間に第２突出部が介在し、第２突出部の存在により前記第１突出部が前記底壁部から一層浮いた状態となるために、第１突出部を一層手指で掴みやすいものとすることができるという優れた効果を奏するものである。
【発明を実施するための最良の形態】
【００１１】
上記の本発明について、図面等を用いて以下に詳述する。
図１は本発明にかかる液体用紙容器の第１実施形態を示す斜視図、図２は図１の液体用紙容器のブランク板を示す平面図、図３は図１の液体用紙容器の底部構造を説明する図、図４は図１の液体用紙容器の底部を図解的に示す平面図、図５は図１の液体用紙容器の解体後の減容化した状態を図解的に示す平面図、図６は本発明にかかる液体用紙容器の第２実施形態を示す図２に対応する図、図７は図６の液体用紙容器の図３に対応する図であり、図中の１，２，３，４は側壁板、５は糊代片、１ａ，２ａ，３ａ，４ａは傾斜屋根形成板、１ｂ，２ｂ，３ｂ，４ｂは底部形成板、６は一方の合掌壁部、７は他方の合掌壁部、８は第１突片、９は第２突片、９’は第１突出部、９”は第２突出部、１０，３０は張出部、１ｓ，３ｓは張出部の先端部、２４は底壁部、６７は合掌貼り壁部、Ｐ１，Ｐ２は液体用紙容器、Ｐ１’，Ｐ２’はブランク板をそれぞれ示す。
【００１２】
図１は本発明にかかる液体用紙容器の第１実施形態を示す斜視図、図２は図１の液体用紙容器のブランク板を示す平面図であって、液体用紙容器Ｐ１は糊代片５と側壁板１と側壁板２と側壁板３と側壁板４とが折罫を介してそれぞれ連接すると共に、側面板１の上下端には傾斜屋根部形成板１ａと底部形成板１ｂが、側面板２の上下端には傾斜屋根部形成板２ａと底部形成板２ｂが、側面板３の上下端には傾斜屋根部形成板３ａと底部形成板３ｂが、側面板４の上下端には傾斜屋根部形成板４ａと底部形成板４ｂがそれぞれ折罫を介して連接し、傾斜屋根部形成板１ａ，３ａおよび底部形成板１ｂ，３ｂの所定位置に折罫が形成されると共に、底部形成板１ｂ，３ｂの所定位置に第１突片８、８が形成されているブランク板Ｐ１’を、前記糊代片５を前記側面板４の裏面に接着して筒状体となし、その後に底部が従来からある、いわゆるブリック（Ｂｒｉｃｋ）型紙容器と同様にフラットボトムに形成され、次に天部から内容物が充填された後に、天部が傾斜屋根に成形されて所定箇所が熱接着されて密封され、内部に内容物が収容された天部に傾斜屋根部を備えた液体用紙容器である。なお、後述する一方の合掌壁部〔（／／）印で示した箇所〕を符号６、他方の合掌壁部〔（＼）印で示した箇所〕を符号７で図２において示すと共に前記第１突片８、８は一方の合掌壁部６と他方の合掌壁部７の境界の前記他方の合掌壁部７側に形成されている。
【００１３】
図３は図１の液体用紙容器の底部構造を説明する図であって、液体用紙容器Ｐ１の底部は四角形状からなり、前記底部は底部形成板２ｂ、４ｂで形成される底壁部２４と、対向する位置にある両側壁部１、３のそれぞれに連設されて前記両側壁部１、３のそれぞれの側方に張り出した底部形成板１ｂ、３ｂで形成される平面視略三角形状の張出部１０、３０と、該張出部１０、３０の両先端部１ｓ、３ｓ間に亘って前記両張出部１０、３０と前記底壁部２４とからなる一方の合掌壁部６と他方の合掌壁部７とを合掌貼りして底部を密封する合掌貼り壁部６７と、前記他方の合掌壁部７の前記両張出部１０、３０の両端部に前記他方の合掌壁部の長手方向に直交する方向に突出形成される第１突片８、８とで構成され、前記合掌貼り壁部６７をその内端縁で前記両張出部１０、３０と前記底壁部２４に前記他方の合掌壁部７が当接するように折り重ねると共に前記両張出部１０、３０を前記底壁部２４側に折り重ね、前記両張出部１０、３０を前記合掌貼り壁部６７で固着されて図４に示すような底部が形成される。
【００１４】
次に、上記のような底部構造を有する液体用紙容器Ｐ１の解体方法について説明する。前記第１突片８、８は、他方の合掌壁部７に連設して突出形成されており、一方の合掌壁部６の厚さだけ浮いた状態となるために、手指で前記第１突片８、８を容易に掴むことができ、この第１突片８、８を手指で掴んで引き上げることにより簡単に底壁部２４から剥離することができて図３に示す状態とすることができ、図示はしないが続いて傾斜屋根部を剥離して折り畳むことにより図５に示すような状態とすることができ、嵩張る液体用紙容器Ｐ１を廃棄時には嵩張らない状態に減容化することができ、廃棄し易いものとすることができる。なお、解体の順序は、傾斜屋根部を先に解体してもよいものである。
【００１５】
図６は本発明にかかる液体用紙容器の第２実施形態を示す図２に対応する図、図７は図６の液体用紙容器の図３に対応する図であって、液体用紙容器Ｐ２は第１実施形態の液体用紙容器Ｐ１に設けた第１突片８、８に代えて、略Ｌ字形状の第２突片９、９を突出長さの長い第１突出部９’が他方の合掌壁部７に位置するように、突出長さの短い第２突出部９”が一方の合掌壁部６に位置するように設けたものであって、これ以外は第１実施形態の液体用紙容器Ｐ１と同じである。第１実施形態と同様に底部を形成することにより、第２突片９、９の突出長さの長い第１突出部９’が底部において表出し、突出長さの短い第２突出部９”が突出長さの長い第１突出部９’と底壁部２４との間に介在することになり、前記第２突片９、９の前記第１突出部９’を一層手指で掴みやすいものとすることができ、第１実施形態の液体用紙容器に比べてより解体しやすい液体用紙容器Ｐ２とすることができる。なお、第２突片９、９を第１突出部９’と第２突出部９”とを折罫を介して設けたものを示したが、第１突出部９’と第２突出部９”とは折罫を設けることなく、それぞれ独立してそれぞれの合掌壁部６、７から突出形成した態様としてもよいものであるが、液体用紙容器とする加工工程の容易さを考慮するなら、第２実施形態のように第１突出部９’と第２突出部９”とは折罫を介した構成とするのが望ましいものである。また、第１突片８、８および第２突片９、９の形状は実施例において示した形状に限るものではなく、手指で掴むことが可能な形状であればよいものである。
【００１６】
本発明にかかる液体用紙容器に供する積層材としては、たとえば、高圧法低密度ポリエチレン層（以下、ＬＤＰＥ層と呼称する）／紙層／ＬＤＰＥ層、ＬＤＰＥ層／紙層／ＬＤＰＥ層／アルミニウム箔／接着剤／二軸延伸ポリエチレンテレフタレートフィルム（以下、ＰＥＴフィルムと呼称する）／ＬＤＰＥ層又は中密度ポリエチレン層（以下、ＭＤＰＥ層と呼称する）からなるもの、あるいは、上記構成において、アルミニウム箔とＰＥＴフィルムとの積層工程を省略した、ＬＤＰＥ層／紙層／ＬＤＰＥ層／アルミニウム蒸着層／ＰＥＴフィルム／ＬＤＰＥ層、ないしは、ＬＤＰＥ層／紙層／ＬＤＰＥ層／酸化珪素蒸着層（又は酸化アルミ蒸着層）／ＰＥＴフィルム／ＬＤＰＥ層からなるものなどの周知の積層材を挙げることができるが、これらに限定されるものではない。また、今までの説明においては、天部を傾斜屋根部を有するゲーベルトップ型液体用紙容器として説明してきたが、本発明の液体用紙容器はこれに限ることはなく、背景技術の項で説明した六面体形状からなるブリック（Ｂｒｉｃｋ）型紙容器、あるいは、ブリック型紙容器を変形した六角柱状や天面および底面が四角形状で胴部が八角形状の柱状紙容器、また、底面は四角形状で天部が横一線シールを行ったままの楔状紙容器などであってもよいものである。
【図面の簡単な説明】
【００１７】
【図１】本発明にかかる液体用紙容器の第１実施形態を示す斜視図である。
【図２】図１の液体用紙容器のブランク板を示す平面図である。
【図３】図１の液体用紙容器の底部構造を説明する図である。
【図４】図１の液体用紙容器の底部を図解的に示す平面図である。
【図５】図１の液体用紙容器の解体後の減容化した状態を図解的に示す平面図である。
【図６】本発明にかかる液体用紙容器の第２実施形態を示す図２に対応する図である。
【図７】図６の液体用紙容器の図３に対応する図である。
【符号の説明】
【００１８】
１，２，３，４                側壁板
５                            糊代片
１ａ，２ａ，３ａ，４ａ        傾斜屋根形成板
１ｂ，２ｂ，３ｂ，４ｂ        底部形成板
６                            一方の合掌壁部
７                            他方の合掌壁部
８                            第１突片
９                            第２突片
９’                          第１突出部
９”                          第２突出部
１０，３０                    張出部
１ｓ，３ｓ                    張出部の先端部
２４                          底壁部
６７                          合掌貼り壁部
Ｐ１，Ｐ２                    液体用紙容器
Ｐ１’，Ｐ２’                ブランク板
【図１】
2009073534.tif 000003
【図２】
2009073534.tif 000004
【図３】
2009073534.tif 000005
【図４】
2009073534.tif 000006
【図５】
2009073534.tif 000007
【図６】
2009073534.tif 000008
【図７】
2009073534.tif 000009